(57)【要約】【課題】外壁パネル体が居住空間に対向する窓部と、外壁パネル体が躯体構造物に対向するスパンドレル部とを設けた外壁を備えた建物において、外壁の屋外側に向けて表示を行う表示装置を、外壁パネル体の屋内側において、窓部の採光や屋内側からの視認性を損なうことなく、しかも交換やメンテナンスの作業性の良い状態で配設する。【解決手段】スパンドレル部１Ｂの外壁パネル体４と躯体構造物５との間の空間部を表示装置配設部１４とし、該表示装置配設部１４に表示装置１７を出し入れ自在に配設するとともに、表示装置配設部１４の左右少なくとも一方の側方に、表示装置１３を居住空間側から出し入れするための開口２６を設けた。【選択図】図６
2018188856.tif 000002
【特許請求の範囲】
【請求項１】
外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を出し入れ自在に配設するにあたり、表示装置配設部の左右少なくとも一方の側方に、表示装置を居住空間側から出し入れするための開口を設けたことを特徴とする建物外壁部における表示装置の配設構造。
【請求項２】
請求項１において、表示装置の出し入れをガイドするガイド部材を設けたことを特徴とする建物外壁部における表示装置の配設構造。
【請求項３】
請求項１または２において、開口を開閉自在に覆蓋する蓋体を設けたことを特徴とする建物外壁部における表示装置の配設構造。
【請求項４】
請求項１乃至３の何れか一項において、表示装置配設部の開口側の側方を塞ぐ耐火材を設ける一方、該耐火材を開口から居住空間側に出し入れ自在に構成にしたことを特徴とする建物外壁部における表示装置の配設構造。
【請求項５】
請求項１乃至４の何れか一項において、表示装置は、文字、図柄等の表示がなされた表示パネルと、該表示パネルが組込まれる枠体とを備えて構成され、該枠体は、表示装置を表示装置配設部に配設したままの状態で開口から着脱自在な枠材を備えるとともに、該枠材を取外した状態の表示装置に表示パネルを開口から組込み、組外し自在に構成したことを特徴とする建物外壁部における表示装置の配設構造。
【発明の詳細な説明】
【技術分野】
【０００１】
本発明は、カーテンウォール等の建物外壁部における表示装置の配設構造に関するものである。
【背景技術】
【０００２】
一般的に、建物の外壁のなかには、例えばカーテンウォールのように、外壁パネル体が居住空間に対向する窓部と、外壁パネル体が床、天井等の躯体構造物に対向するスパンドレル部とを設けたものがある。このような外壁において、スパンドレル部は、床、天井等の躯体構造物が外部から見えないように目隠しすることが要求される。そこで、従来、スパンドレル部の外壁パネル体の屋内側に耐火パネル体を配設し、該耐火パネル体によって防火と目隠しとを図るようにしたものが知られている（例えば、特許文献１参照）。
一方、建物の外壁部を利用して、宣伝広告や装飾等の様々な表示を行いたいという要望がある。この場合、表示装置を窓部に設けると、窓部の採光や屋内側からの視認性が損なわれる惧れがある。そこで、スパンドレル部の屋外側に設けられた庇の上面に、表示装置を設置するようにした技術が知られている（例えば、特許文献２参照）。また、表示装置をスパンドレル部の屋内側に配設するようにした技術も知られている（例えば、特許文献３参照）。
【先行技術文献】
【特許文献】
【０００３】
【特許文献１】特許第５２３２５８８号公報
【特許文献２】特開２０１４−２３２２７１号公報
【特許文献３】米国特許第４４４７９９５号明細書
【発明の概要】
【発明が解決しようとする課題】
【０００４】
しかしながら、前記特許文献２のものは、表示装置がスパンドレル部の屋外側に配設されているため、表示装置の雨仕舞が必要であるうえ、屋外広告物とみなされて条例により規制を受ける場合がある。
一方、前記特許文献３のものは、表示装置がスパンドレル部の屋内側に配設されているから、窓部の採光や屋内側からの視認性を損なうことなく、しかも雨仕舞の必要もなく、屋外広告物としての条例の規制も受けない状態で、表示装置を配設できることになる。しかしながらこのものにおいて、表示装置に表示される宣伝や装飾等の表示の変更、或いは部品（例えば表示装置に装備される照明用電気部品等）の交換や修理等のメンテナンスを行いたい場合、スパンドレル部は、外壁パネル体が床、天井等の躯体構造物に対向している部位であるから、スパンドレル部の屋内側に配設された表示装置にアクセスすることだけでも困難であって、表示の変更作業やメンテナンス作業を行う場合の作業性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を出し入れ自在に配設するにあたり、表示装置配設部の左右少なくとも一方の側方に、表示装置を居住空間側から出し入れするための開口を設けたことを特徴とする建物外壁部における表示装置の配設構造である。
請求項２の発明は、請求項１において、表示装置の出し入れをガイドするガイド部材を設けたことを特徴とする建物外壁部における表示装置の配設構造である。
請求項３の発明は、請求項１または２において、開口を開閉自在に覆蓋する蓋体を設けたことを特徴とする建物外壁部における表示装置の配設構造である。
請求項４の発明は、請求項１乃至３の何れか一項において、表示装置配設部の開口側の側方を塞ぐ耐火材を設ける一方、該耐火材を開口から居住空間側に出し入れ自在に構成にしたことを特徴とする建物外壁部における表示装置の配設構造である。
請求項５の発明は、請求項１乃至４の何れか一項において、表示装置は、文字、図柄等の表示がなされた表示パネルと、該表示パネルが組込まれる枠体とを備えて構成され、該枠体は、表示装置を表示装置配設部に配設したままの状態で開口から着脱自在な枠材を備えるとともに、該枠材を取外した状態の表示装置に表示パネルを開口から組込み、組外し自在に構成したことを特徴とする建物外壁部における表示装置の配設構造である。
【発明の効果】
【０００６】
請求項１の発明とすることにより、スパンドレル部の外壁パネル体と躯体構造部との間に配設された表示装置を、表示装置配設部の側方に設けた開口から居住空間側に出し入れできることになって、表示装置の交換やメンテナンスの作業性が大幅に向上する。
請求項２の発明とすることにより、表示装置の出し入れをスムーズに行うことができる。
請求項３の発明とすることにより、蓋体によって表示装置配設部を居住空間側から目隠しできる。
請求項４の発明とすることにより、耐火材によって表示装置配設部の開口側の防火を図れるとともに、該耐火材が表示装置の出し入れの妨げとなることを回避できる。
請求項５の発明とすることにより、表示装置を表示装置配設部に配設したままの状態で、表示バネルを表示装置に組込み、組外しできることになって、表示パネルのみの交換作業やメンテナンス作業が容易となる。
【図面の簡単な説明】
【０００７】
【図１】カーテンウォールの概略正面図である。
【図２】図１のＸ−Ｘ断面図である。
【図３】スパンドレル部の縦断面図である。
【図４】スパンドレル部の要部水平断面図である。
【図５】（Ａ）はスパンドレル部の下部の詳細縦断面図、（Ｂ）は（Ａ）のＸ−Ｘ端面図である。
【図６】表示装置の出し入れの手順を説明する図である。
【図７】表示パネルのみの出し入れの手順を説明する図である。
【図８】表示装置を示す図であって、（Ａ）は正面図、（Ｂ）は（Ａ）のＸ−Ｘ端面図、（Ｃ）は（Ａ）のＹ−Ｙ端面図である。
【発明を実施するための形態】
【０００８】
以下、本発明の実施の形態について、図面に基づいて説明する。図面において、１は建物の外壁に用いられるカーテンウォールであって、該カーテンウォール１は、方立（縦材、マリオン）２と無目（横材）３とからなる枠材の開口部に外壁パネル体４を取付けて形成されている。該外壁パネル体４は透明または透光性を有する材質から形成されており、本実施の形態では、透明なガラス材が採用されている。
【０００９】
前記カーテンウォール１には、外壁パネル体４が居住空間に対向する窓部１Ａと、外壁パネル体４が躯体構造物５（床５ａ、天井５ｂ、スラブ（最上階において天井５ｂの上側に設けられるスラブ、最下階において床５ａの下側に設けられるスラブ、中間階において床５ａと下階の天井５ｂとの間に設けられるスラブ等）５ｃ、腰壁５ｄ、柱（図示せず）等）に対向するスパンドレル部１Ｂとが設けられているが、本実施の形態においてスパンドレル部１Ｂは、上下階の窓部１Ａの層間部および最上階の窓部１Ａの上側に設けられている。また、図１に示す斜線部分は複数階（本実施の形態では１階から２階）に亘る吹き抜け部であって、該吹き抜け部は外壁全面が、外壁パネル体４が居住空間（吹き抜け空間）に対向する窓部１Ａになっている。而して、該吹き抜け部の左右側方において層間部（本実施の形態では１階と２階の間）に設けられるスパンドレル部１ＢＸは、左右側方の少なくとも一方が吹き抜け部の窓部１Ａの左右側方に位置する状態になっている。そして、該左右側方の少なくとも一方が窓部１Ａの左右側方に位置しているスパンドレル部１ＢＸの屋内側に、後述する表示装置１３が配設される構成になっている。尚、本発明において表示装置１３が配設されるスパンドレル部１ＢＸは、左右側方の少なくとも一方が窓部１Ａの左右側方に位置しているスパンドレル部１ＢＸであり、以下、左右側方の少なくとも一方が窓部１Ａの左右側方に位置しているスパンドレル部１ＢＸを単にスパンドレル部１ＢＸと称し、該スパンドレル部１ＢＸの屋内側に配設される表示装置１３の配設構造について説明する。また、本発明では、外壁パネル体４の面方向に沿うと共に上下方向と直交する方向を、左右方向とする。
【００１０】
前記方立２は、該方立２の屋内側半部を構成し、水平断面が矩形中空状の方立本体部２Ｘと、該方立本体部２Ｘに一体形成され、方立２の屋外側半部を構成する外壁支持部２Ｙとから構成されている。そして方立２は、方立本体部２Ｘが図示しない固定部材を介してスラブ５ｃ等の躯体構造物５に固定されることで、躯体側に取付け支持されるように構成されている。
【００１１】
前記方立２の外壁支持部２Ｙには、無目３の左右外端部が取付けられると共に、上下の無目３間に位置する状態で、左右の方立アタッチメント６が取付けられている。そして、該左右の方立アタッチメント６の屋外側面部６ａと、外壁支持部２Ｙの屋外側端部に形成された見付け辺２Ｙａとの間に、外壁パネル体４の左右縦辺部が嵌合されるパネル嵌合溝２ｂが形成されており、該パネル嵌合溝２ｂに、ビート１０やシーリング材１１を介して外壁パネル体４の左右縦辺部が嵌合支持されている。
尚、本実施の形態では、便宜上、スパンドレル部１ＢＸに配置される方立２のうち、窓部１Ａの左右何れかの側方に位置していて該窓部１Ａとスパンドレル部１ＢＸとを区画する方立２を窓部側方立２Ａと称し、また、該窓部側方立２Ａ以外の他の方立２や、窓部側方立２Ａと他の方立２とを区別する必要がない場合には単に方立２と称して説明するが、本実施の形態では、図４、図６、図７に示すようにスパンドレル部１ＢＸの右側部に窓部側方立２が配置されている場合、つまり窓部１Ａがスパンドレル部１ＢＸの右側方に位置している場合を例にとって説明する。因みに、窓部側方立２Ａと他の方立２とは同じ構造である。
【００１２】
また、前記無目３は、その左右外端部が前記方立２の外壁支持部２Ｙに取付支持される状態で、左右に隣接する方立２間に支架されると共に、外壁パネル体４の上下辺部が嵌合されるパネル嵌合溝３ａを有しており、該無目３のパネル嵌合溝３ａに、外壁パネル体４の上下辺部がビート１０やシーリング材１１を介して嵌合支持されるようになっている。
尚、本実施の形態では、便宜上、スパンドレル部１ＢＸに配置される無目３のうち、スパンドレル部１ＢＸと該スパンドレル部１ＢＸの上階の窓部１Ａとを区画し、スパンドレル部１ＢＸの外壁パネル体４の上辺部を支持すると共に上階の窓部１Ａの外壁パネル体４の下辺部を支持する無目３を第一無目３Ａと称し、また、スパンドレル部１ＢＸと該スパンドレル部１ＢＸの下階の窓部１Ａとを区画し、スパンドレル部１ＢＸの外壁パネル体４の下辺部を支持すると共に下階の窓部１Ａの外壁パネル体４の上辺部を支持する無目３を第二無目３Ｂと称し、また、第一無目３Ａと第二無目３Ｂとを区別する必要がない場合には単に無目３と称して説明する。
また、本実施の形態では、前記第一、第二無目３Ａ、３Ｂは、窓部１Ａまたはスパンドレル部１ＢＸの外壁パネル体４の上辺部を支持する上辺部用パネル嵌合溝３ａが形成された型材と、スパンドレル部１ＢＸまたは窓部１Ａの外壁パネル体４の下辺部を支持する下辺部用パネル体嵌合溝３ａが形成された型材とが分割されており、これら型材同士をビス等により固定して第一、第二無目３Ａ、３Ｂが形成されているが、このように分割されたものではなく、上辺部用バネル嵌合溝と下辺部用パネル嵌合溝との上下の嵌合溝が形成された一つの型材で、第一、第二無目３Ａ、３Ｂを形成することもできる。
【００１３】
前記第一無目３Ａの屋内側には、第一無目アダプター７がネジ７ａを介して固定されている。該第一無目アダプター７は、第一無目３Ａの屋内側面部３Ａｂにネジ７ａ止めされる矩形中空状のアダプター本体部７ｂと、該アダプター本体部７ｂの屋内側下端部から屋内方向に水平状に延びる水平面部７ｃと、該水平面部７ｃの下面側に設けられ、下側が開口した冂形状の上側ガイドレール７ｄと、水平面部７ｃの屋内側端部から鉛直状に垂下される耐火パネル体取付部７ｅとを備えて形成されている。
【００１４】
また、前記第二無目３Ｂの屋内側には、第二無目アダプター８がネジ８ａを介して固定されているが、該第二無目アダプター８は、第一無目アダプター７と上下逆形状のものであって、第二無目３Ｂの屋内側面部３Ｂｂにネジ８ａ止めされる矩形中空状のアダプター本体部８ｂと、該アダプター本体部８ｂの屋内側上端部から屋内方向に水平状に延びる水平面部８ｃと、該水平面部８ｃの上面側に設けられ、上側が開口した凵形状の下側ガイドレール８ｄと、水平面部８ｃの屋内側端部から鉛直状に立設される耐火パネル体取付部８ｅとを備えて形成されている。
【００１５】
ここで、前記第一、第二無目アダプター７、８のアダプター本体部７ｂ、８ｂは、左右に隣接する方立２の方立本体部２Ｘ間に丁度収まるように、左右方向の長さおよび屋外方向の長さが設定されている。また、水平面部７ｃ、８ｃおよび耐火パネル体取付部７ｅ、８ｅは、方立本体部２Ｘよりも屋内側に位置するとともに、該水平面部７ｃ、８ｃおよび耐火パネル体取付部７ｅ、８ｅの左右外方側端部には、アダプター本体部７ｂ、８ｂの左右外方側端よりも左右外方側に突出する延設水平面部７ｆ、８ｆ（７ｆは図示せず）、延設耐火パネル体取付部７ｇ、８ｇ（７ｇは図示せず）が水平面部７ｃ、８ｃ、耐火パネル体取付部７ｅ、８ｅから延設される状態で一体形成されている。また、上側、下側のガイドレール７ｄ、８ｄは、前述したように水平面部７ｃ、８ｃに設けられていて方立本体部２Ｘよりも屋内側に位置しているが、これら上側、下側のガイドレール７ｄ、８ｄは、本発明のガイド部材に相当するものであって、後述する表示装置１３の上下部が左右方向スライド移動自在に嵌合される構成になっている。
尚、本実施の形態において、前記第一、第二無目アダプター７、８は、アダプター本体部７ｂ、８ｂの一半部を形成する型材と、アダプター本体部７ｂ、８ｂの他半部を形成する型材と、水平面部７ｃ、８ｃおよび延設水平面部７ｆ、８ｆと耐火パネル体取付部７ｅ、８ｅおよび延設耐火パネル体取付部７ｇ、８ｇとを形成する型材とに分割されており、これらの型材をビス（図示せず）等に一体的に組付けて形成されている。
【００１６】
一方、９はけい酸カルシウム板等の耐火材から構成される耐火パネル体であって、火災時に上下階への延焼を防止するために設けられるものであるが、該耐火パネル体９は、その上下部が、前記第一、第二無目アダプター７、８の耐火パネル体取付部７ｅ、８ｅにネジ９ａを介して取付けられることによって、スパンドレル部１ＢＸの外壁パネル体４と躯体構造物５との間に、外壁パネル体４と間隙を存する状態で配設されている。そして、該耐火パネル体９とスパンドレル部１ＢＸの外壁パネル体４との間の空間部は、後述する表示装置１３が出し入れ自在に配設される表示装置配設部１４に構成されている。この場合に表示装置１３は、その上下部が前記第一、第二無目アダプター７、８に設けられた上下のガイドレール７ｄ、８ｄに嵌合支持された安定状態で、表示装置配設部１４に配設されるようになっている。
【００１７】
前記耐火パネル体９の上部には、屋内外方向に貫通する配線用貫通孔９ｂが形成されている。そして、該配線用貫通孔９ｂを通して、耐火パネル体９の屋内側に配置された電源盤１５から延びるハーネス１６が表示装置配設部１４に引き出されるようになっているとともに、該表示装置配設部１４に引き出されたハーネス１６の先端部には、給電側コネクタ１７が接続されている。
尚、前記電源盤１５には、電源スイッチやコントローラ等が設けられるが、該電源盤１５へのアクセスは、腰壁５ｄに開閉自在に設けられた点検口（図示せず）から行えるようになっている。
【００１８】
また、１８、１９は前記表示装置配設部１４の上下を塞ぐ上側、下側の耐火ブロックであって、これら耐火ブロック１８、１９は、前記耐火パネル体９と同様、火災時における延焼を防止するべく耐火材から構成されるものであるが、上側耐火ブロック１８は、前記第一無目アダプター７の水平面部７ｃの上側に配設されており、また、下側耐火ブロック１９は、第二無目アダプター８の水平面部８ｃの下側に配設されている。
【００１９】
さらに、前記第二無目アダプター８の下側には、左右一対の支持ブラケット２０が配置されている。該左右の支持ブラケット２０は、図５に示す如く、第二無目アダプター８のアダプター本体部８ｂの下側から下側耐火ブロック１９および耐火パネル体９の下側にまで至る支持片２０ａと、該支持片２０ａから垂下される取付片２０ｂとからなる逆Ｌ字形状のものであって、支持片２０ａの上面が第二無目アダプター８のアダプター本体部８ｂの下面に下側から当接する状態で、取付片２０ｂが方立本体部２Ｘの左右側面部２Ｘｂにネジ２０ｃを介して取付けられている。そして、該支持ブラケット２０は、支持片２０ａが第二無目アダプター８のアダプター本体部８ｂに下側から当接することによって、第二無目アダプター８にかかる表示装置１３の重量負荷を第二無目アダプター８とともに負担するとともに、下側耐火ブロック１９および耐火パネル体９を下側から支持するようになっている。
【００２０】
尚、２１は第一無目３Ａの屋内側に第一アングル２２を介して取付けられる膳板であって、該膳板２１は、前記第一無目アダプター７、上側耐火ブロック１８、耐火パネル体９の上方に位置する状態で、第一無目３Ａから腰壁５ｄの上部に至るように設けられている。また、２３は第二無目３Ｂの屋内側に第二アングル２４を介して取付けられる天井側額縁であって、該天井側額縁２３は、第二無目アダプター８、下側耐火ブロック１９、耐火パネル体９および前述した支持ブラケット２０の下方に位置する状態で、第二無目３Ｂから天井５ｂに至るように設けられている。
【００２１】
一方、前記窓部側方立２Ａの屋内側には、窓部１Ａの屋内側の居住空間（吹き抜け空間）とスパンドレル部１ＢＸの屋内側空間とを区画するべく、方立本体部２Ｘの屋内側面部２Ｘａから屋内側に延びる仕切壁２５が立設されているが、該仕切壁２５には、前記表示装置配設部１４の左右側方（本実施の形態では右側方）に位置する部分に開口２６が開設されている。そして、該開口２６は、表示装置配設部１４に配設された表示装置１３を窓部１Ａの屋内側の居住空間側から出し入れするための出入り口になっているとともに、後述する点検カバー（本発明の蓋体に相当する）２７によって開閉自在に覆蓋されるようになっている。
【００２２】
さらに、２８は表示装置配設部１４の左右側方のうち前記開口２６側の側方、つまり本実施の形態では表示装置配設部１４の右側方を塞ぐ側方耐火ブロックであって、該側方耐火ブロック２８は、前記耐火パネル体９や上側、下側の耐火ブロック１８、１９と同様、火災時における延焼を防止するべく耐火材から構成されるものであるが、このものは、前記第二無目アダプター８の延設水平面部８ｆの上面に載置される状態で、後述する第一、第二取付ブラケット２９、３０を介して表示装置配設部１４の右側に配設されている。尚、前記側方耐火ブロック２８は、本発明の表示装置配設部の開口側の側方を塞ぐ耐火材に相当する。
【００２３】
前記第一取付ブラケット２９は、側方耐火ブロック２８が右側方（開口２６側方）から嵌合される凹部２９ａと、該凹部２９ａの開口側縁から屋外側、屋内側に張り出す屋外側、屋内側のフランジ部２９ｂ、２９ｃとが一体形成されたハット形状のものであり、また、第二取付ブラケット３０は、第一取付ブラケット２９に嵌合された側方耐火ブロック２８に右側方から当接する当接面部３０ａと、第一取付ブラケット２９の屋外側、屋内側のフランジ部２９ｂ、２９ｃに右側方からそれぞれ当接する屋外側、屋内側フランジ部３０ｂ、３０ｃとが一体形成されたものである。そして、第一取付ブラケット２９の屋外側、屋内側フランジ部２９ｂ、２９ｃを後述する方立アダプター３１の右側面部３１ｃ、固定ブラケット３２の第二脚片３２ｂにそれぞれ当接させた状態で、第一取付ブラケット２９の凹部２９ａに側方耐火ブロック２８を嵌合し、さらに該側方耐火ブロック２８が嵌合された状態の第一取付ブラケット２９の屋外側、屋内側フランジ部２９ｂ、２９ｃに、第二取付ブラケット３０の屋外側、屋内側フランジ部３０ｂ、３０ｃを当接させた状態で、両取付ブラケット２９、３０の屋外側フランジ部２９ｂおよび３０ｂを方立アダプター３１の右側面部３１ｃに、屋内側フランジ部２９ｃおよび３０ｃを固定ブラケット３２の第二脚片３２ｂにそれぞれネジ３３止めすることによって、側方耐火ブロック２８を、第一、第二取付ブラケット２９、３０を介して表示装置配設部１４の右側に着脱自在に配設することができるようになっている。さらに、これら第一、第二取付ブラケット２９、３０および側方耐火ブロック２８は、屋内外方向および上下方向の寸法が前記開口２６を出入りできる寸法に設定されているとともに、第一、第二取付ブラケット２９、３０を取付けるためのネジ３３は右側方から螺入されるようになっており、而して、第一、第二取付ブラケット２９、３０および側方耐火ブロック２８の着脱作業を、前記開口２６を通してスパンドレル部１ＢＸの右側方の窓部１Ａの居住空間側から行うことができるようになっている。
尚、図示しないが、表示装置配設部１４の左側においても、前述した表示装置配設部１４の右側に配設される側方耐火ブロック２８と同様の側方耐火ブロックを、必要に応じて配設することができる。
【００２４】
ここで、前記方立アダプター３１は、窓部側方立２Ａの方立本体部２Ｘの屋内側面部２Ｘａにネジ３１ａを介して固定される中空矩形状のものであって、第一無目アダプター７の延設水平面部７ｆと第二無目アダプター８の延設水平面部８ｆとの間に収まるように設けられている。また、固定ブラケット３２は、第一脚片３２ａと第二脚片３２ｂとからなるＬ字形状のものであって、第一脚片３２ａは、その上下部が第一、第二無目アダプター７、８の延設耐火パネル体取付部７ｇ、８ｇにそれぞれネジ３２ｃ止めされることで、両延設耐火パネル体取付部７ｇ、８ｇ間に支架されるように設けられている。さらに、該第一脚片３２ａの右端から屋内側に向けて第二脚片３２ｂが折曲形成されているが、該第二脚片３２ｂは、耐火パネル体取付部７ｅ、８ｅに取付けられた耐火パネル体９の右端面９ｃから少し離間する状態で該右端面９ｃに対向している。そして、前記方立アダプター３１の屋内側面部３１ｂと固定ブラケット３２の第一脚片３２ａとの間の間隔は、表示装置１３の屋内外方向の幅寸法よりも少し幅広になっていて、該間隙を通って開口２６から居住空間側に表示装置１３を出し入れできるようになっているとともに、前述した側方耐火ブロック２８の配設スペースとなっており、さらに、方立アダプター３１の右側面部３１ｃおよび固定ブラケット３２の第二脚片３２ｂには、前述したように、第一、第二取付ブラケット２９、３０の屋外側、屋内側フランジ部２９ｂ、３０ｂ、２９ｃ、３０ｃがネジ３３止めされる構成になっている。
【００２５】
さらに、前記開口２６は、点検カバー２７によって開閉自在に覆蓋されているが、該点検カバー２７は、前記方立アダプター３１の右側面部３１ｃおよび固定ブラケット３２の第二脚片３２ｂに、該方立アダプター３１の右側面部３１ｃおよび固定ブラケット３２の第二脚片３２ｂに取付けられた第一、第二取付ブラケット２９、３０の屋外側、屋内側フランジ部２９ｂ、３０ｂ、２９ｃ、３０ｃを間に介装する状態で、ネジ３４を介して着脱自在に取付けられている。この場合に、点検カバー２７用のネジ３４は右側方から螺入されるように設定されており、而して、点検カバー２７の着脱作業を、スパンドレル部１ＢＸの右側方の窓部１Ａの居住空間側から行うことができるようになっている。
【００２６】
一方、前記表示装置１３は、本実施の形態では、広告や装飾用の文字、図柄等の表示がなされた表示パネル（サイン）３５と、該表示パネル３５の屋内側に積層状に配される導光パネル３６と、これら両パネル３５、３６の四周を支持する枠体３７と、光源（本実施の形態ではＬＥＤ）３８等を備えて構成されているが、上記枠体３７は、上枠３７ａ、下枠３７ｂと、これら上枠３７ａおよび下枠３７ｂの左右に組付けられる左右の縦枠３７ｃ、３７ｄとから構成されている。また、ＬＥＤ（光源）３８は、上枠３７ａおよび下枠３７ｂに組み込まれるＬＥＤ支持バー３９に左右方向複数配置されている。そして、ＬＥＤ３８から発せられた光が上下両側から導光パネル３６に入光されて該導光パネル３６が発光し、これがバックライトとなって表示パネル３５を照射することによって、表示パネル３５の文字や図柄等が視認されるようになっているが、表示装置１３は、前述したように、スパンドレル部１ＢＸの外壁パネル体４と耐火パネル体９との間に形成される表示装置配設部１４に配設されており、これにより、スパンドレル部１ＢＸの透明な外壁パネル体４を通して屋外側から表示パネル３５の表示を視認できるようになっている。さらに、前記ＬＥＤ３８に接続されるリード線は、右側方に延びて受電側コネクタ４０に接続されており、該受電側コネクタ４０と前記給電側コネクタ１７とを接続することによってＬＥＤ３８への給電がなされるが、これら受電側コネクタ４０、給電側コネクタ１７の断続は、前記開口２６から行えるようになっている。
【００２７】
ここで、前記表示装置１３は、右縦枠３７ｄを、該右縦枠３７ｄ以外の他の枠材（上枠３７ａ、下枠３７ｂ、左縦枠３７ｃ）やＬＥＤ支持バー３９はそのままの状態で、表示装置１３の右側方から螺入されるネジ３７ｅを介して表示装置１３の右側から取付け、取外しできるようになっているとともに、右縦枠３７ｄが取外された状態の表示装置１３に、表示パネル３５を、表示装置１３の右側から組込み、組外しできるように構成されている。これにより、表示装置１３を表示装置配設部１４に配設したままの状態で、該表示装置配設部１４の右側方に設けられた開口２６から、表示装置１３の右縦枠３７ｄの着脱と、表示装置１３への表示パネル３５の組込み、組外しとを行えるようになっており、而して、表示装置１３を表示装置配設部１４に配設したままの状態で表示パネル３５のみを表示装置配設部１４から出し入れすることができて、表示パネル３５のみの交換作業やメンテナンス作業を行う場合に、容易かつ効率良く行えるようになっている。尚、本実施の形態では、表示パネル３５だけでなく、導光パネル３６についても同様に、右縦枠３７ｄが取外された状態の表示装置１３に右側から組込み、組外しできるように構成されていて、導光パネル３６のみのメンテナンスも容易に行えるようになっている。また、本実施の形態では、右縦枠３７ｄが、本発明の開口から着脱自在な枠材に相当するが、本実施の形態とは左右逆に開口が表示装置配設部の左側方に設けられている場合（窓部がスパンドレル部の左側方に位置している場合）には、右縦枠が本発明の開口から着脱自在な枠材となる。さらに、本実施の形態の表示装置１３は、左縦枠３７ｃが開口から着脱自在な枠材となった場合にも対応できるように左右対称状に形成されていて、左縦枠３７ｃについても表示装置１３の左側方から螺入されるネジ３７ｆを介して着脱自在に構成されている。
【００２８】
そして、この様に構成された本実施のものにおいて、表示装置配設部１４に配設された表示装置１３をメンテナンス等のために取り出す場合には、まず、表示装置配設部１４が設けられたスパンドレル部１ＢＸの右側方の窓部１Ａの居住空間側から、点検カバー２７を取外して、表示装置配設部１４の右側方の開口２６を開く。さらに、該開口２６から、第二取付ブラケット３０、側方耐火ブロック２８、第一取付ブラケット２９を順次取り出す。これにより、表示装置配設部１４の右側方は開放された状態となるが、この状態で、表示装置１３のＬＥＤ３８に接続された受電側コネクタ４０を給電側コネクタ１７から外す。しかる後、表示装置１３を右方向にスライド移動させて、表示装置配設部１４から居住空間に取り出す。このときの表示装置１３のスライド移動は、表示装置１３の上下両側が第一、第二無目アダプター７、８に設けられた上下のガイドレール７ｄ、８ｄにガイドされることでスムーズに行うことができる。
【００２９】
一方、表示装置１３を表示装置配設部１４に配設する場合には、表示装置配設部１４が設けられたスパンドレル部１ＢＸの右側方の窓部１Ａの居住空間から、開口２６を通して表示装置配設部１４に表示装置１３を収納する。このとき、表示装置１３の上下部を上下のガイドレール７ｄ、８ｄに嵌合させることにより、表示装置１３の左方への移動がスムーズに行われるとともに、表示装置配設部１４に配設された表示装置１３が上下のガイドレール７ｄ、８ｄにより安定支持される。次いで、表示装置１３の受電側コネクタ４０を給電側コネクタ１７に接続する。さらに、第一取付ブラケット２９、側方耐火ブロック２８、第二取付ブラケット３０をネジ３３を介して取付け、しかる後、点検カバー２７をネジ３４を介して取付けて開口２６を塞ぐことによって、表示装置１３の表示装置配設部１４への配設作業が完了するようになっている。
【００３０】
さらにこのものでは、表示装置１３を表示装置配設部１４に配設したままの状態で、表示パネル３５のみを表示装置配設部１４から出し入れすることができる。この場合には、まず、前述した表示装置１３を取り出す場合と同様の手順で、点検カバー２７、第二取付ブラケット３０、側方耐火ブロック２８、第一取付ブラケット２９を取外して、表示装置配設部１４の右側方を開放された状態にする。この状態で、表示装置配設部１４に配設されたままの表示装置１３から右縦枠３７ｄを取外すことにより、表示パネル３５のみを表示装置配設部１４から取出すことができる。そして、新しくセットする表示パネル３５を、前記右縦枠３７ｄが取り外された状態の表示装置１３に右側から組込んだ後、右縦枠３７ｄを取付け、さらに前述した表示装置１３を収納する場合と同様の手順で、第一取付ブラケット２９、側方耐火ブロック２８、第二取付ブラケット３０、点検カバー２７を取付けることによって、表示パネル３５のみの交換やメンテナンスを行うことができるようになっている。
【００３１】
叙述の如く構成された本形態において、建物の外壁としてのカーテンウォール１には、外壁パネル体４が居住空間に対向する窓部１Ａと、該窓部１Ａの左右少なくとも一方の側方に位置し、外壁パネル体４が床５ａ、天井等５ｂの躯体構造物５に対向するスパンドレル部１ＢＸとが設けられているが、該スパンドレル部１ＢＸの外壁パネル体４と躯体構造部５との間の空間部（本実施の形態では、スパンドレル部１ＢＸの外壁パネル体４と躯体構造物５との間に耐火パネル体９が配されており、該耐火パネル体９と外壁パネル体４との間の空間部）は表示装置配設部１４となっており、該表示装置配設部１４には、カーテンウォール１の屋外側に向けて表示を行う表示装置１３が出し入れ自在に配設されるとともに、表示装置配設部１４の左右少なくとも一方の側方には、表示装置１３を居住空間側から出し入れするための開口２６が設けられることになる。
【００３２】
而して、前記表示装置１３によって、カーテンウォール１の屋外側に向けて宣伝広告や装飾等の様々な表示を行えることになるが、この表示装置１３は、スパンドレル部１ＢＸの外壁パネル体４と躯体構造部５との間の表示装置配設部１４に配設されているため、屋外側からの目隠しが必要であるスパンドレル部１ＢＸを利用して、窓部１Ａの採光や屋内側からの視認性が損なわれる惧れがない状態で、表示装置１３を配設できることになる。しかも、表示装置配設部１４は外壁パネル体４の屋内側であるから、表示装置１３の雨仕舞の必要もなく、また、屋外広告物としての条例の規制も受けないことになる。
【００３３】
さらにこのものでは、表示装置配設部１４の左右少なくとも一方の側方（本実施の形態では右側方）に、表示装置１３を居住空間側から出し入れするための開口２６が設けられているから、表示装置１３のメンテナンスや交換を行う場合には、該開口２６から表示装置１３を居住空間側に取出してメンテナンス作業や交換作業を行えることになって、これら作業の作業性向上に大きく貢献できる。しかも、開口２６は点検カバー（蓋体）２７によって開閉自在に覆蓋されているから、該点検カバー２７によって表示装置配設部１４を居住空間側から目隠しできることになる。
【００３４】
さらに、前記表示装置配設部１４には、表示装置１３の居住空間側への出し入れをガイドするべく、表示装置１３の上下部がスライド移動自在に嵌合される下側、上側ガイドレール（ガイド部材）７ｄ、８ｄが設けられている。これにより、表示装置１３の出し入れを、下側、上側ガイドレール７ｄ、８ｄにガイドされた状態でスムーズに行うことができる。
【００３５】
さらにこのものでは、表示装置配設部１４の開口２６側の側方（本実施の形態では右側方）を塞ぐ側方耐火ブロック（耐火材）２８が設けられているとともに、該側方耐火ブロック２８は、開口２６から居住空間側に出し入れ自在に構成されている。これにより、表示装置配設部１４の開口２６側の防火を側方耐火ブロック２８によって図れるとともに、該側方耐火ブロック２８が表示装置１３の出し入れの妨げとなってしまうことを回避できる。
【００３６】
さらにこのものにおいて、表示装置１３は、文字、図柄等の表示がなされた表示パネル３５と、該表示パネル３５が組込まれる枠体３７とを備えて構成されているが、該枠体３７は、表示装置１３を表示装置配設部１４に配設したままの状態で、表示装置配設部１４の左右少なくとも一方の側方（本実施の形態では右側方）に設けられた開口２６から着脱自在な枠材（本実施の形態では右縦枠）３７ｄを備えるとともに、該枠材３７ｄを取外した状態の表示装置１３に表示パネル３５を開口２６から組込み、組外し自在に構成されている。この結果、表示パネル３５のみの交換やメンテナンス等を行う場合には、表示装置１３全体を表示装置配設部１４から出し入れする必要はなく、表示パネル３５のみを出し入れすれば良いことになって、さらなる作業効率の向上に寄与できる。
【００３７】
尚、本発明は上記実施の形態に限定されないことは勿論であって、上記実施の形態では、建物の外壁として、方立と無目とを枠材として外壁パネル体が組み込まれたカーテンウォールを例示したが、このようなカーテンウォールに限定されることなく、例えば、サッシ枠を枠材として外壁パネル体が組み込まれた外壁等であっても、本発明を実施できる。また、上記実施の形態では、窓部の層間部に位置しているスパンドレル部に本発明が実施されているが、最上階に設けられているスパンドレル部、あるいは最下階に設けられているスパンドレル部であっても、該スパンドレル部の左右少なくとも一方の側方に窓部が設けられていれば、本発明を実施できる。
さらに、上記実施の形態では、スパンドレル部の右側に窓部が位置している場合を例にとって説明したが、図２の右側に示すスパンドレル部のように窓部がスパンドレル部の左側に位置している場合、あるいはスパンドレル部の左右両側に窓部が位置している場合であっても、本発明を実施できることは勿論である。
さらに、上記実施の形態では、躯体構造物として腰壁が設けられているが、腰壁が設けられていない場合であっても、本発明を実施できる。
さらに、上記実施の形態では、窓部もスパンドレル部も外壁パネル体として透明なガラス材が用いられているが、このように全ての外壁パネル体が透明な材質のものでなくても、スパンドレル部の少なくとも一部、つまり、表示装置が配設される部分の外壁パネル体が透明または透光性を有していれば、本発明を実施できる。
さらに、上記実施の形態では、スパンドレル部の外壁パネル体と躯体構造物との間に耐火パネル体が配設されているが、延焼の惧れがなく耐火パネル体が配されていないスパンドレル部（例えば、最上階に設けられるスパンドレル部）であっても、本発明を実施できる。
さらに、上記実施の形態では、表示装置配設部に配設された表示装置は、第一、第二無目アダプターと支持ブラケットとを介して、外壁パネル体を支持する枠材である無目と方立とに支持される構成になっており、これにより、外壁パネル体を支持する枠材を利用して表示装置を確実に支持できる構成になっているが、これに限定されることなく、例えば、表示装置を無目のみに支持せしめる構成、方立のみに支持せしめる構成、或いは外壁パネル体を支持する枠材に連結される額縁部材等に支持せしめる構成にすることもできる。
さらに、上記実施の形態では、表示装置の出し入れをガイドするガイド部材（下側、上側のガイドレール）は、無目に連結される第一、第二無目アダプターに設けられているが、これに限定されることなく、例えば、外壁パネル体を支持する枠材に連結される額縁部材等の他の部材に設けることもできる。
さらに、上記実施の形態では、開口を開閉自在に覆蓋する蓋体（点検カバー）を、固定ブラケットおよび方立アダプターに着脱自在に支持せしめたが、これに限定されることなく、例えば、外壁パネル体を支持する枠材に連結される他の部材や、窓部の屋内側の居住空間とスパンドレル部の屋内側空間とを仕切る仕切壁等に蓋体を着脱自在に支持せしめる構成にすることもできる。
さらに、上記実施の形態では、前記蓋体を着脱自在に支持せしめる手段として着脱自在なネジを用いたが、これに限定されることなく、例えばラッチ手段等を用いることもできる。
さらに、上記実施の形態では、表示パネルと導光パネルと光源を備えた表示装置を例示したが、表示装置としては、例えば、光源のないもの、ＬＥＤそのもので文字や画を表示するもの等、様々な形態のものを採用できる。
【産業上の利用可能性】
【００３８】
本発明は、カーテンウォール等の建物外壁部に表示装置を設ける場合に利用することができる。
【符号の説明】
【００３９】
１  カーテンウォール
１Ａ  窓部
１ＢＸ  スパンドレル部
４  外壁パネル体
５  躯体構造物
７ｄ  上側ガイドレール
８ｄ  下側ガイドレール
１３  表示装置
１４  表示装置配設部
２６  開口
２７  点検カバー
２８  側方耐火ブロック
３５  表示パネル
３７  枠体
３７ｄ  右縦枠
【図１】
2018188856.tif 000003
【図２】
2018188856.tif 000004
【図３】
2018188856.tif 000005
【図４】
2018188856.tif 000006
【図５】
2018188856.tif 000007
【図６】
2018188856.tif 000008
【図７】
2018188856.tif 000009
【図８】
2018188856.tif 000010